(57)【特許請求の範囲】
【請求項１】
複数の枠材を接合し枠状に形成された枠体と、前記枠体に取り付けられ外周部に内周側に窪む溝部を備えた框体を有する障子と、を備え、
前記枠体は、当該枠体の内周側に突出され中空部を備えた突出部と、前記中空部内に設けられ前記枠材および前記框体より融点が高い材料で形成された突出部補強部材と、隣接する２つの前記枠材の前記突出部にそれぞれ当接されて前記突出部補強部材と接合され前記枠材および前記框体より融点が高い材料で形成された連結部材と、
を備え、
前記障子は、前記溝部内に設けられ当該障子が前記枠体に取り付けられたときに前記突出部及び前記連結部材が挿入され前記枠材および前記框体より融点が高い材料で形成された溝補強部材と、を備え、
前記連結部材は、前記突出部に当接されて固定される固定部と、前記固定部より前記枠体の内周側に張り出す張出部を有していることを特徴とする建具。
【請求項２】
請求項１に記載の建具であって、
前記張出部は、前記突出部が突出している方向において、前記突出部と間隔を隔てた位置に配置され、前記張出部には、加熱されて発泡する加熱発泡材が設けられていることを特徴とする建具。
【請求項３】
請求項１または請求項２に記載の建具であって、
前記隣接する２つの前記枠材は上枠と縦枠とであり、
前記連結部材は、前記上枠に沿う上枠側部と前記縦枠に沿う縦枠側部とを有し、
前記張出部は、前記縦枠側部に設けられていることを特徴とする建具。
【請求項４】
請求項１乃至請求項３のいずれかに記載の建具であって、
前記連結部材は、前記突出部において前記枠体の内周側に臨む面に、前記枠体の内周側からビスにより固定されていることを特徴とする建具。
【発明の詳細な説明】
【技術分野】
【０００１】
本発明は、複数の枠材を接合し枠状に形成された枠体と、前記枠体に取り付けられる障子と、を備えた建具に関する。
【背景技術】
【０００２】
複数の枠材を接合し枠状に形成された枠体と、前記枠体に取り付けられる障子と、を備えた建具としては、例えば、樹脂形材でなる上枠、下枠、左右の縦枠の各端部を突き合わせて溶着した窓枠と、樹脂形材でなる上框、下框、左右の縦框の各端部を突き合わせて溶着した障子とを備えた樹脂製窓が知られている（例えば、特許文献１参照）。この樹脂製窓は、障子を閉じた際に窓枠が形成する開口を閉止するため、障子の外周部と窓枠の内周部とが見込み方向に重なるように構成されている。また、火災用により窓枠及び障子が加熱されて軟化しても窓枠と障子との間に隙間が生じにくいように、障子の外周部側と窓枠とにそれぞれ金属補強材が設けられている。
【先行技術文献】
【特許文献】
【０００３】
【特許文献１】特許第４２２９２８６号
【発明の概要】
【発明が解決しようとする課題】
【０００４】
上記のような樹脂製窓は、障子の外周端部に、障子を閉じたときに窓枠と接触して止水する止水部が全周に亘って設けられている。このため、障子の外周端部まで金属補強材を設けることができない。このため、障子に設けられた金属補強材と、窓枠に設けられた金属補強材とが見込み方向に重なる重なり代が小さくなり、火災用により窓枠及び障子が加熱されたときに窓枠と障子との間に隙間が生じてしまう、あるいは、障子が窓枠から外れてしまう虞がある。
【０００５】
本発明は、かかる課題に鑑みてなされたものであり、その目的とするところは、火災等により加熱されて軟化したとしても障子が外れ難い建具を提供することにある。
【課題を解決するための手段】
【０００６】
かかる目的を達成するために本発明の建具は、複数の枠材を接合し枠状に形成された枠体と、前記枠体に取り付けられ外周部に内周側に窪む溝部を備えた框体を有する障子と、を備え、前記枠体は、当該枠体の内周側に突出され中空部を備えた突出部と、前記中空部内に設けられ前記枠材および前記框体より融点が高い材料で形成された突出部補強部材と、隣接する２つの前記枠材の前記突出部にそれぞれ当接されて前記突出部補強部材と接合され前記枠材および前記框体より融点が高い材料で形成された連結部材と、を備え、前記障子は、前記溝部内に設けられ当該障子が前記枠体に取り付けられたときに前記突出部及び前記連結部材が挿入され前記枠材および前記框体より融点が高い材料で形成された溝補強部材と、を備え、前記連結部材は、前記突出部に当接されて固定される固定部と、前記固定部より前記枠体の内周側に張り出す張出部を有していることを特徴とする建具である。
【０００７】
このような建具によれば、枠体の内周側に突出された突出部が備える中空部内に設けられた突部補強部材と、隣接する２つの枠材の突出部にそれぞれ当接されて突部補強部材と接合される連結部材と、障子の溝部内に設けられた溝補強部材は、枠材および框体より融点が高い部材で形成されているので、火災等により加熱されて枠材および框体が溶融したとしても、溶融されずに残存する。このため火災等により加熱された場合であっても、隣接する突部補強部材に接合された連結部材が、溝補強部材に挿入された状態を維持することが可能である。また、連結部材は枠体の突出部に固定された固定部と該固定部より内周側に張り出す張出部とを有しているので、連結部材は溝補強部材のより奥側に挿入される。このため火災等により加熱されて枠体および框体が軟化したとしても、障子が窓枠から外れ難い建具を提供することが可能である。
【０００８】
かかる建具であって、前記張出部は、前記突出部が突出している方向において、前記突出部と間隔を隔てた位置に配置され、前記張出部には、加熱されて発泡する加熱発泡材が設けられていることが望ましい。
【０００９】
このような建具によれば、張出部は、突出部が突出している方向に突出しているので、突出部より確実に溝補強部材内に挿入される。このため、火災等により加熱されて軟化したときに障子がより外れ難い建具を提供することが可能である。また、隣接する突部補強部材の端部と対向する、張出部に加熱発泡材が設けられているので、枠材が溶融する際には加熱発泡材が発泡して隣接する突部補強部材間に進入して隙間が埋められる。このため、隣接する突部補強部材間から火炎が貫通することを防止することが可能である。
【００１０】
かかる建具であって、前記隣接する２つの前記枠材は上枠と縦枠とであり、前記連結部材は、前記上枠に沿う上枠側部と前記縦枠に沿う縦枠側部とを有し、前記張出部は、前記縦枠側部に設けられていることが望ましい。
【００１１】
このような建具によれば、張出部は、縦枠に沿う縦枠側部に設けられているので、縦枠から横方向に張り出している。このため、例えば、障子をけんどん方式にて取り付ける場合であっても連結部材が支障にならないので、容易に障子を取り付けることが可能である。
【００１２】
かかる建具であって、前記連結部材は、前記突出部において前記枠体の内周側に臨む面に、前記枠体の内周側からビスにより固定されていることが望ましい。
【００１３】
このような建具によれば、連結部材は、枠体の内周側に臨む面に枠体の内周側からビスにより固定されているので、障子を枠体に取り付けた後であっても連結部材を容易に取り付けることが可能である。
【発明の効果】
【００１４】
本発明によれば、火災等により加熱されて軟化したとしても障子が外れ難い建具を提供することが可能である。
【図面の簡単な説明】
【００１５】
【図１】本実施形態に係る建具を室内側から見た外観図である。
【図２】上枠と上框を示す縦断面図である。
【図３】左枠と外障子の戸先框を示す横断面を下から見た図である。
【図４】上枠と左枠との接合部及び上框と外障子の戸先框との接合部を示す縦断面図である。
【図５】右枠と内障子の戸先框を示す横断面を下から見た図である。
【図６】連結部材の変形例を示す縦断面図である。
【発明を実施するための形態】
【００１６】
以下、本発明の一実施形態に係る建具について図面を参照して説明する。
本実施形態では、図１に示すような内障子３および外障子４を備えた引き違い窓用の建具１を例に挙げて説明する。
【００１７】
本実施形態の建具１は、引き違い方式にて移動可能な２枚の障子３、４と、躯体２に取り付けられて２枚の障子３、４により閉塞可能な開口１０ａを形成する合成樹脂製の枠状をなす枠体１０とを有している。
【００１８】
以下の説明においては、躯体２の取り付けられた建具１を室内側から見たときに、上下となる方向を上下方向、左右となる方向を左右方向、室内外方向である奥行き方向を見込み方向とするとともに、枠体１０の面内方向において開口１０ａの中央側を内周側、枠体１０の外側を外周側として示す。建具１の各部位であっても、また、建具１を構成する各部材については単体の状態であっても、建具１が取り付けられた状態で上下方向、左右方向、見込み方向等となる方向にて方向を特定して説明する。
【００１９】
枠体１０は、合成樹脂製の４本の押出成形部材でなる枠材１１、１２、１３、１４が上枠１１、下枠１２、左枠１３及び右枠１４をなすように矩形状に枠組みされて形成されている。上枠１１、下枠１２、左枠１３及び右枠１４は、図１に示すように、各々所定の長さにて端部が、長手方向に対して４５度をなすように斜めに切断され、互いに隣接する枠材１１、１２、１３、１４の端部同士を突き合わされて溶着されている。各枠材１１、１２、１３、１４の断面形状がほぼ同一であり、互いに隣り合う枠材１１、１２、１３、１４同士が９０度をなすように接合するため、各枠材１１、１２、１３、１４の端部を４５度に切断しているが、接合する枠材の断面形状が相違する場合など、枠材の端部は必ずしも４５度でなくとも構わない。
【００２０】
上枠１１、下枠１２、左枠１３及び右枠１４の構造については上枠１１を例に挙げて説明し、下枠１２、左枠１３及び右枠１４については、上枠１１と同一の部位に、各々の枠材を示す番号、例えば左枠の場合には「１３」の後に同一の数字およびアルファベット添えた符号を付して示すものとする。
【００２１】
上枠１１は、図２に示すように、長手方向となる左右方向に貫通し見込み方向に並べて設けられた５つの中空部１１１ａ、１１１ｂ、１１１ｃ、１１１ｄ、１１１ｅを有する枠本体部１１１と、枠本体部１１１をなし開口１０ａの中央側に臨む平面を形成する本体内板部１１２の室内側の端から下方に垂設された内壁部１１３と、本体内板部１１２の室外側の端から下方に垂設された外壁部１１４と、内壁部１１３と外壁部１１４との間にて見込み方向において互いに間隔を隔てて本体内板部１１２から枠体１０の内周側に突出する内突出部１１５および外突出部１１６と、枠本体部１１１の上側となる外周面１１７に設けられて躯体２に固定される上躯体固定部１１８と、内壁部１１３の室内に臨む面に設けられて躯体２に固定される内躯体固定部１１９と、を有している。
【００２２】
内突出部１１５は、枠本体部１１１が有する室内側から２つめの中空部１１１ｄの下に突出しており、外突出部１１６は、室外側から２つめの中空部１１１ｂの下に突出している。
【００２３】
上枠１１の内突出部１１５は、内障子３を案内する上レールをなし、上枠１１の外突出部１１６は、外障子４を案内する上レールをなしている。また、左枠１３の外突出部１３６は、図３に示すように、外障子４を閉じた際に外障子４の戸先框２３に入り込み、右枠１４の内突出部１４５は、図５に示すように、内障子３を閉じた際に内障子３の戸先框２３に入り込むように構成されている。
【００２４】
図２に示すように、上枠１１の枠本体部１１１の５つの中空部１１１ａ、１１１ｂ、１１１ｃ、１１１ｄ、１１１ｅのうちの、最も室外側の中空部１１１ａと最も室内側の中空部１１１ｅを除き、３つの中空部１１１ｂ、１１１ｃ、１１１ｄ内に、長手方向に沿ってほぼ全長に渡り、枠体１０の各枠材１１、１２、１３、１４をなす合成樹脂より融点が高い、例えば鉄製の枠補強部材３０、３１、３２がそれぞれ設けられている。また、内突出部１１５および外突出部１１６は、長手方向に沿って中空部１１５ａ、１１６ａを備え、中空部１１５ａ、１１６ａ内に長手方向に沿ってほぼ全長に渡り、例えば鉄製の突部補強部材３３がそれぞれ設けられている。
【００２５】
図３に示すように、左枠１３の枠本体部の５つの中空部１３１ａ、１３１ｂ、１３１ｃ、１３１ｄ、１３１ｅのうちの、室外側から２つめと３つめの中空部１３１ｂ、１３１ｃ内には、長手方向に沿ってほぼ全長に渡り、例えば鉄製の枠補強部材３０、３１が設けられており、外突出部１３６の中空部１３６ａ内には、長手方向に沿ってほぼ全長に亘り、例えば鉄製の突部補強部材３３が設けられている。
【００２６】
図５に示すように、右枠１４の枠本体部の５つの中空部１４１ａ、１４１ｂ、１４１ｃ、１４１ｄ、１４１ｅのうちの、室内側から２つめと３つめの中空部１４１ｄ、１４１ｃ内には、長手方向に沿ってほぼ全長に渡り、例えば鉄製の枠補強部材３２、３１が設けられており、内突出部１４５の中空部１４５ａ内には、長手方向に沿ってほぼ全長に亘り、例えば鉄製の突部補強部材３３が設けられている。
【００２７】
上枠１１、左枠１３、右枠１４に設けられた枠補強部材３０、３１、３２および突部補強部材３３はいずれも、各々が設けられている上枠１１、左枠１３、右枠１４の端部から突出しないように、枠補強部材３０、３１、３２および突部補強部材３３の端部が上枠１１、左枠１３、右枠１４の各小口の内側に納まるように設けられている。
【００２８】
より具体的には、枠補強部材３０、３１、３２および突部補強部材３３を備えた上枠１１と左枠１３および右枠１４との端部同士を突き合わせて溶着する際に、上枠１１、左枠１３および右枠１４の小口が当接されるヒータに枠補強部材３０、３１、３２および突部補強部材３３が接触しないように、枠補強部材３０、３１、３２および突部補強部材３３の端部は上枠１１、左枠１３、右枠１４の小口より内側に位置している。すなわち、接合された上枠１１と左枠１３、上枠１１と右枠１４に設けられている枠補強部材３０、３１、３２および突部補強部材３３の端部同士は互いに間隔が隔てられている。
【００２９】
枠補強部材３０、３１、３２は、いずれも断面がコ字状をなし、各中空部１１１ｂ、１１１ｃ、１１１ｄ、１３１ｂ、１３１ｃ、１４１ｄ、１４１ｃの外周側の面に対向する外周板部３０ａ、３１ａ、３２ａと、内周側の面に対向する内周板部３０ｂ、３１ｂ、３２と、外周板部３０ａ、３１ａ、３２ａの室外側の縁と内周板部３０ｂ、３１ｂ、３２ｂｂの室外側の縁とを連結する連結板部３０ｃ、３１ｃ、３２ｃとを有している。枠補強部材３０、３１、３２は、連結板部３０ｃ、３１ｃ、３２ｃが室外側に位置するように配置されている。
【００３０】
上枠１１に設けられる枠補強部材３０には連結板部３０ｃの室内側の面に、枠補強部材３２には連結板部３２ｃの室外側の面に、枠補強部材３１には、外周板部３１ａの外周側の面に、それぞれ長手方向に沿って全長に亘り熱膨張性黒鉛８が設けられている。尚、図４においては、枠補強部材３０、３１、３２に設けられた熱膨張性黒鉛８の図示を省略している。また、図４において外障子４を閉じた状態を示す図では、外障子４を一点鎖線で示している。
【００３１】
中空部１１５ａ、１１６ａ、１３６ａ、１４５ａに設けられた突部補強部材３３は、中空部１１５ａ、１１６ａ、１３６ａ、１４５ａの外周側の内面と対面する外周対面部３３ａと、中空部１１５ａ、１１６ａ、１３６ａ、１４５ａの側面と対面する側対面部３３ｂと、側対面部３３ｂの内周側の縁から斜めに延出された斜延出部３３ｃと、を有している。
【００３２】
内突出部１１５に設けられる突部補強部材３３には、側対面部３３ｂが中空部１１５ａの室外側の側面に対向させて配置され、側対面部３３ｂの室内側の面に長手方向に沿って全長に亘り熱膨張性黒鉛８が設けられている。尚、図４においては、突部補強部材３３に設けられた熱膨張性黒鉛８の図示を省略している。
【００３３】
上枠１１と左枠１３とが接合される角部においては、上枠１１の外突出部１１６の突部補強部材３３と、左枠１３の外突出部１３６の突部補強部材３３とが、不燃性である鉄製の連結部材１５とともに枠補強部材３０に螺合するビス１８にて固定されて連結されている。また、上枠１１と右枠１４とが接合される角部においては、上枠１１の内突出部１１５の突部補強部材３３と、右枠１４の内突出部１４５の突部補強部材３３とが、不燃性である鉄製の連結部材１５とともに枠補強部材３２に螺合するビス１８にて固定されて連結されている。このとき、ビス１８が突部補強部材３３を貫通しているため、連結部材１５、突部補強部材３３及び枠補強部材３０、３２は、ビス１８により接合されている。
【００３４】
上枠１１と右枠１４との接合部の図示は省略するが、上枠１１と左枠１３との接合部と、外突出部１１６、１３６と内突出部１１５、１４５との相違は有るものの左右が反転した状態をなしている。また、上枠１１の外突出部１１６の突部補強部材３３と、左枠１３の外突出部１３６の突部補強部材３３とを連結する連結部材１５と、上枠１１の内突出部１１５の突部補強部材３３と、右枠１４の内突出部１４５の突部補強部材３３とを連結する連結部材１５とは同一の部材である。
【００３５】
連結部材１５は、短冊状の鋼板を屈曲させて形成され、上枠１１に沿う上枠側部としての上板部１６と、縦枠である左枠１３または右枠１４に沿う縦枠側部としての縦板部１７とを有している。
【００３６】
上板部１６は平板状をなし、外突出部１１６または内突出部１１５の下面（内周側に臨む面）１１６ｂ、１１５ｂに当接されて固定される上固定部をなしている。縦板部１７は、上部側と下部側との間に鋼板の面外方向に段差を有している。下部側は、左枠１３の外突出部１３６または右枠１４の内突出部１４５において枠体１０の内周側に臨む面１３６ｂ、１４５ｂに当接されて固定される側固定部１７ａをなし、上部側は、側固定部１７ａに対して外突出部１３６および内突出部１４５の突出方向に間隔を隔ててほぼ平行に配置される張出部１７ｂをなしている。縦板部１７は、張出部１７ｂの上端部が上板部１６と繋がっている。
【００３７】
連結部材１５の張出部１７ｂには、当該連結部材１５が枠体１０に固定されたときに、左枠１３の外突出部１３６側または右枠１４の内突出部１４５側に臨む面１７ｃに熱膨張性黒鉛８が設けられている。
【００３８】
内障子３および外障子４は、図１に示すように、各々面材としての複層ガラス５と、複層ガラス５を囲む合成樹脂製の框２０とを有している。框２０は、複層ガラス５を囲むとともに当該複層ガラス５の各端部が挿入される合成樹脂製の框材でなる上框２１、下框２２、戸先框２３および戸尻框２４を有している。内障子３および外障子４の上框２１、下框２２、戸先框２３は、ほぼ同一の断面形状をなしており、内障子３の戸尻框２４と外障子４の戸尻框２４とは、見込み方向において互いに対向する部位に設けられた煙返しを構成する部位の形状が相違している。
【００３９】
框２０は、上框２１、下框２２、戸先框２３および戸尻框２４が各々の長手方向における端部が長手方向に対して４５度をなすように斜めに切断され、互いに隣接する框材２１、２２、２３、２４の端部同士を突き合わせて溶着することにより形成されている。内障子３および外障子４の内部構造は、ほぼ同様なので、以下の説明においては、外障子４の上框２１と戸先框２３との接合部を例に挙げて構造を説明する。
【００４０】
外障子４の上框２１および戸先框２３は、図２〜図４に示すように、框本体２１ａ、２３ａと、框本体２１ａ、２３ａに設けられた係合溝２１ｂ、２３ｂに各々係合される押縁６と、を有している。框本体２１ａ、２３ａに係合された押縁６は、矩形状に接合された框２０の状態において、その内周側に、複層ガラス５の端部が挿入されるガラス挿入部２１ｃ、２３ｃを框本体２２ａ、２３ａとともに形成する。
【００４１】
上框２１および戸先框２３は、ガラス挿入部２１ｃ、２３ｃの外周側に各々長手方向に貫通する中空部２１ｄ、２３ｄを有し、さらに中空部２１ｄ、２３ｄの外周側に枠体１０に設けられ枠体１０の内周側に突出する上枠１１の外突出部１１６または左枠１３の外突出部１３６が挿入される溝部としての溝状凹部２１ｅ、２３ｅを有している。ガラス挿入部２１ｃ、２３ｃ、中空部２１ｄ、２３ｄ、溝状凹部２１ｅ、２３ｅは、いずれも上框２１、戸先框２３の各々全長に渡って設けられている。
【００４２】
すなわち、複層ガラス５の上に位置する上框２１においては、下部に複層ガラス５の上端が挿入されるガラス挿入部２１ｃが設けられており、ガラス挿入部２１ｃの上（外周側）に中空部（以下、上框中空部ともいう）２１ｄが設けられており、中空部２１ｄの上（外周側）に、枠体１０の上枠１１に設けられた外突出部１１６が挿入される溝状凹部２１ｅが、いずれも上框２１の全長に渡って設けられている。
【００４３】
上框２１および戸先框２３のガラス挿入部２１ｃ、２３ｃ内には、複層ガラス５の周端部を覆うように不燃性である鉄製の保持部材７が設けられ、上框２１および戸先框２３の中空部２１ｄ、２３ｄ内には、不燃性である鉄製の框補強部材２５が設けられ、溝状凹部２１ｅ、２３ｅ内には、不燃性である鉄製の溝補強部材２６が各々設けられている。保持部材７、框補強部材２５、溝補強部材２６は、各々上框２１および戸先框２３のほぼ全長に亘って設けられ、保持部材７と框補強部材２５とはガラス挿入部２１ｃ、２３ｃから中空部２１ｄ、２３ｄに貫通するビスまたはリベットにより接合され、框補強部材２５と溝補強部材２６とは、溝状凹部２１ｅ、２３ｅから中空部２１ｄ、２３ｄに貫通するビスまたはリベットにより接合されている。また、互いに隣接して接合される上框２１と戸先框２３とに設けられた框補強部材２５同士は不燃性である鉄製の連結金具９により、上框２１および戸先框２３の切り欠かれた部位にて直接連結されている。
【００４４】
框補強部材２５は、断面がコ字状をなし、複層ガラス５の面内方向において対向する一対の対向壁部２５ａと、対向壁部２５ａの一方の端同士を連結する連結壁部２５ｂと、を有している。一対の対向壁部２５ａは、中空部２１ｄ、２３ｄにおいて複層ガラス５の面内方向において対向する内面とそれぞれ対面し、連結壁部２５ｂは、中空部２１ｄ、２３ｄの室外側の内面と対面するように配置されている。
【００４５】
框補強部材２５の長手方向における両端部は、端部が上框２１および戸先框２３の小口から突出しないように配置されている。框補強部材２５の連結壁部２５ｂの両面にはそれぞれ熱膨張性黒鉛８が設けられている。尚、図４においては、框補強部材２５に設けられた熱膨張性黒鉛８の図示を省略している。
【００４６】
溝補強部材２６は、断面がコ字状をなし、溝状凹部２１ｅ、２３ｅの対向する壁部２１ｆ、２３ｆにそれぞれ沿うとともに対面する室内側壁部２６ａおよび室外側壁部２６ｂと、室内側壁部２６ａおよび室外側壁部２６ｂの一方の端同士を連結し底部２１ｇ、２３ｇに沿うとともに対面する底側連結部２６ｃと、を有している。
【００４７】
溝補強部材２６の長手方向における両端部は、上框２１および戸先框２３の溝状凹部２１ｅ、２３ｅから突出しないように配置されている。溝補強部材２６の底側連結部２６ｃの外周側の面には全長に亘って熱膨張性黒鉛８が設けられている。また、室内側壁部２６ａの室内側の面および室外側壁部２６ｂの室外側の面にも、全長に亘って熱膨張性黒鉛８が設けられている。尚、図４においては、溝補強部材２６に設けられた熱膨張性黒鉛８の図示を省略している。
【００４８】
建物等に取り付けられた枠体１０に内障子３及び外障子４を取り付け、開口１０ａを閉止した状態では、図４に示すように、枠体１０の左枠１３の外突出部１３６と連結部材１５が、外障子４に設けられた溝状凹部２３ｅ内の溝補強部材２６内に挿入され、右枠１４の内突出部１４５と連結部材１５が、内障子３に設けられた溝状凹部２３ｅ内の溝補強部材２６内に挿入される。
【００４９】
本実施形態の建具１によれば、枠体１０の内周側に突出された内突出部１１５、１４５及び外突出部１１６、１３６が備える中空部１１５ａ、１１６ａ、１３６ａ、１４５ａ内に設けられた突部補強部材３３と、隣接する２つの枠材１１、１３、１４の内突出部１１５、１４５及び外突出部１１６、１３６にそれぞれ当接されて枠補強部材３０、３２に固定される連結部材１５と、障子３、４の溝状凹部２１ｅ、２３ｅ内に設けられた溝補強部材２６は、枠体１０および框２０より融点が高い材料である鉄製なので、火災等により加熱されて枠体１０および框２０が溶融したとしても、溶融されずに残存する。このため火災等により加熱された場合であっても隣接する枠補強部材３０、３２および突部補強部材３３に固定された連結部材１５が、溝補強部材２６に挿入された状態を維持することが可能である。このとき、連結部材１５は枠体１０の内突出部１４５及び外突出部１３６に固定された側固定部１７ａより内周側に張り出す張出部１７ｂを有しているので、連結部材１５は、溝補強部材２６の、より奥側に挿入される。すなわち、図４に示すように、連結部材１５が設けられていないときの枠体１０と障子３、４との掛かり代Ｌ１より、連結部材１５が設けられているときの枠体１０と障子３、４との掛かり代Ｌ２の方が大きくなる。このため、火災等により枠体１０と障子３、４とが加熱されて軟化したとしても障子３、４が枠体１０から外れ難い建具１を提供することが可能である。
【００５０】
また、張出部１７ｂは、側固定部１７ａが固定されている内突出部１４５及び外突出部１３６が突出している方向に突出しているので、内突出部１４５及び外突出部１３６より確実に溝補強部材２６の奥側に挿入される。このため、火災等により加熱されて軟化したときに障子３、４がより外れ難い建具１を提供することが可能である。また、隣接する突部補強部材３３の端部と対向する張出部１７ｂの内突出部１４５及び外突出部１３６側に熱膨張性黒鉛８が設けられているので、上枠１１、左枠１３、右枠１４が溶融する際には熱膨張性黒鉛８が発泡して隣接する突部補強部材３３間に進入して隙間を埋める。このため、たとえ枠体１０が溶融したとしても、隣接する突部補強部材３３間から火炎が貫通することを防止することが可能である。
【００５１】
また、張出部１７ｂは、左枠１３または右枠１４に沿う縦板部１７に設けられているので、左枠１３または右枠１４から横方向に張り出すように配置される。このため、例えば、障子３、４をけんどん方式にて取り付ける場合であっても連結部材１５が支障にならないので、容易に障子３、４を取り付けることが可能である。
【００５２】
また、連結部材１５は、枠体１０の内周側に臨む面に枠体１０の内周側からビス１８により固定されているので、障子２、４を枠体１０に取り付けた後であっても連結部材１５を容易に取り付けることが可能である。
【００５３】
上記実施形態においては、連結部材１５の張出部１７ｂが、内突出部１４５及び外突出部１３６における枠体１０の内周側に臨む面と平行に突出している例について説明したが、これに限るものではない。例えば、図６に示すように、上枠１１の内突出部１１５及び外突出部１１６と左枠１３の外突出部１３６及び右枠１４の内突出部１４５とに対し傾斜するように設けられていてもよい。この場合には、張出部１７ｂの外周側の面１７ｃが、上記実施形態の場合より隣接する突部補強部材３３の間側に向くので、発泡した熱膨張性黒鉛８をより確実に隣接する突部補強部材３３間に進入させることが可能である。
【００５４】
上記実施形態においては、枠体１０を形成する枠材１１、１２、１３、１４および框２０を形成する框材２１、２２、２３、２４を合成樹脂製とし、枠補強部材３０、３１、３２、３３、２５、２６、突部補強部材３３および連結部材１５を鉄製としたが、これに限らず、枠補強部材３０、３１、３２、３３、２５、２６、突部補強部材３３および連結部材の素材が中空部材の素材よりより融点が高ければ構わない。
【００５５】
また、上記実施形態においては、連結部材１５の張出部１７ｂにおける左枠１３の外突出部１３６側または右枠１４の内突出部１４５側に臨む面１７ｃに熱膨張性黒鉛８が設けられている例について説明したが、これに限るものではない。例えば、連結部材１５の張出部１７ｂにおいて、障子３、４を閉じたときに、戸先框２３が有する溝状凹部２３ｅの底部２３ｇ側に臨む面に熱膨張性黒鉛８が設けられていてもよい。
【００５６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５７】
１  建具、３  内障子(障子)、４  外障子（障子）、８  熱膨張性黒鉛、
１０  枠体、１１  上枠（枠材）、１２  下枠（枠材）、１３  左枠（枠材）、
１４  右枠（枠材）、１５  連結部材、１６  上板部、１７  縦板部、
１７ａ  側固定部、１７ｂ  張出部、１７ｃ  内周側に臨む面、１８  ビス、
２１ｅ  溝状凹部、２３ｅ  溝状凹部、２６  溝補強部材、
３３  突部補強部材、１１５  内突出部、１１５ａ  中空部、１１６  外突出部、
１１６ａ  中空部、１３６  外突出部、１３６ａ  中空部、１３６ｂ  内周側に臨む面、
１４５  内突出部、１４５ａ  中空部、１４５ｂ  内周側に臨む面
【図１】
0006375218.tif 000002
【図２】
0006375218.tif 000003
【図３】
0006375218.tif 000004
【図４】
0006375218.tif 000005
【図５】
0006375218.tif 000006
【図６】
0006375218.tif 000007